(57)【要約】【課題】  防災用品および簡易トイレの洋式便座部分などを収納した多機能防災缶等を長い距離持ち運ぶ際に、これを肩に担ぐことができて、使用者の負担を軽減することができ、しかも不使用時には、担ぎ用ベルト部をキャリヤ本体を構成する缶体内に収納することができて、携帯に非常に便利であるうえに、材料費が少なく、製造コストが非常に安くついて、安価に供給することができる、ショルダーキャリヤを提供する。【解決手段】  ショルダーキャリヤ１０は、キャリヤ本体を構成する缶体１と、缶体胴壁１ａ上端部に着脱自在に取り付けられた環状の上部ベルト２と、缶体胴壁１ａ下端部に着脱自在に取り付けられた環状の下部ベルト３と、上下両ベルト２，３を連結する左右一対の肩掛けベルト４，５とを備えている。左右肩掛けベルト４，５の上端部が、缶体胴壁１ａ上端部の前側に対応する位置で環状の上部ベルト２に接続され、左右肩掛けベルト４，５の下端部が、缶体胴壁１ａ下端部の左側および右側に対応する位置で環状の下部ベルト３に接続されている。【選択図】  図３
2013216348.tif 000002
【特許請求の範囲】
【請求項１】
キャリヤ本体を構成する缶体（１）と、缶体（１）の胴壁（１ａ）上端部の外周に着脱自在に取り付けられた環状の上部ベルト（２）と、缶体（１）の胴壁（１ａ）下端部の外周に着脱自在に取り付けられた環状の下部ベルト（３）と、上下両ベルト（２）（３）を連結する左右一対の肩掛けベルト（４）（５）とを備えており、左右肩掛けベルト（４）（５）の上端部が、缶体胴壁（１ａ）上端部の前側に対応する位置で環状の上部ベルト（２）に接続され、左右肩掛けベルト（４）（５）のそれぞれの下端部が、缶体胴壁（１ａ）下端部の左側および右側に対応する位置で環状の下部ベルト（３）に接続されていることを特徴とする、ショルダーキャリヤ。
【請求項２】
左右肩掛けベルト（４）（５）の長手方向中間部のキャリヤ担い手の胸部および／または腹部に対応する箇所に、両ベルト（４）（５）の広がりを防止する連結ベルト（９）が、連結・離脱自在に取り付けられていることを特徴とする、請求項１に記載のショルダーキャリヤ。
【請求項３】
下部ベルト（３）の長手方向中間部のキャリヤ担い手の腹部に対応する箇所の前面部に腰当て用クッション材（１１）が取り付けられ、左右肩掛けベルト（４）（５）の長手方向中間部のキャリヤ担い手の左右肩部にそれぞれ対応する箇所の下面部に、肩当て用クッション材（１２）が取り付けられていることを特徴とする、請求項１または２に記載のショルダーキャリヤ。
【請求項４】
キャリヤ本体を構成する缶体（１）の胴壁（１ａ）上面に、さらに缶蓋（７）と着座用マット（８）が被せられており、環状の上部ベルト（２）に、これの一側から他側に至る缶蓋・マット脱落防止用ベルト（１５）（１６）が接続されていることを特徴とする、請求項１〜３のうちのいずれか一項に記載のショルダーキャリヤ。
【請求項５】
キャリヤ本体を構成しかつ胴壁（１ａ）上端部に把手（６）を有する缶体（１）と、缶体（１）の胴壁（１ａ）下端部の外周に着脱自在に取り付けられた環状の下部ベルト（３）と、把手（６）と下部ベルト（３）を連結する左右一対の肩掛けベルト（４）（５）とを備えており、左右肩掛けベルト（４）（５）の上端部が、把手（６）の中央部に取付片（１８）を介して接続され、左右肩掛けベルト（４）（５）のそれぞれの下端部が、缶体胴壁（１ａ）下端部の左側および右側に対応する位置で環状の下部ベルト（３）に接続されていることを特徴とする、ショルダーキャリヤ。
【請求項６】
左右肩掛けベルト（４）（５）の長手方向中間部のキャリヤ担い手の胸部および／または腹部に対応する箇所に、両ベルト（４）（５）の広がりを防止する連結ベルト（９）が、連結・離脱自在に取り付けられていることを特徴とする、請求項５に記載のショルダーキャリヤ。
【請求項７】
下部ベルト（３）の長手方向中間部のキャリヤ担い手の腹部に対応する箇所の前面部に腰当て用クッション材（１１）が取り付けられ、左右肩掛けベルト（４）（５）の長手方向中間部のキャリヤ担い手の左右肩部にそれぞれ対応する箇所の下面部に、肩当て用クッション材（１２）が取り付けられていることを特徴とする、請求項５または６に記載のショルダーキャリヤ。
【発明の詳細な説明】
【技術分野】
【０００１】
本発明は、例えば地震等の災害発生に備えて用意する防災用品の収納缶等の運搬に適用されるショルダーキャリヤに関するものである。
【背景技術】
【０００２】
例えば地震、津波、台風等の災害発生に備えて、ヘルメット、懐中電灯、飲料水、常備薬、携帯ラジオ、その他の防災用品を用意する必要があり、また特に、簡易トイレなどを常備しておくと便利である。このような緊急災害発生時等に使用する簡易トイレとして、本出願人は、先に、下記の特許文献１に記載のペール缶利用簡易トイレを提案した。
【０００３】
ペール缶を利用した簡易トイレの缶本体には、上記の防災用品を収納することができ、また簡易トイレ自体については、ペール缶の上端部に設置される洋式便座部分が小さいために、不使用時に便座部分を缶本体内に収納することができて、これらの防災用品を収納した多機能防災缶を構成することができ、そしてこれは携帯にも非常に便利なものである。
【先行技術文献】
【特許文献】
【０００４】
【特許文献１】再表２００７／０９７３８９号公報
【発明の概要】
【発明が解決しようとする課題】
【０００５】
本発明の目的は、上記の防災用品および簡易トイレの洋式便座部分などを収納した多機能防災缶等の運搬に適用されるショルダーキャリヤであって、多機能防災缶等を長い距離持ち運ぶ際に、これを肩に担ぐことができて、使用者の負担を軽減することができ、しかも不使用時には、担ぎ用ベルト部をキャリヤ本体を構成する缶体内に収納することができて、携帯に非常に便利であるうえに、材料費が少なく、製造コストが非常に安くついて、安価に供給することができる、多機能防災缶等の運搬に適用されるショルダーキャリヤを提供しようとすることにある。
【課題を解決するための手段】
【０００６】
上記の目的を達成するために、請求項１のショルダーキャリヤの発明は、キャリヤ本体を構成する缶体と、缶体の胴壁上端部の外周に着脱自在に取り付けられた環状の上部ベルトと、缶体の胴壁下端部の外周に着脱自在に取り付けられた環状の下部ベルトと、上下両ベルトを連結する左右一対の肩掛けベルトとを備えており、左右肩掛けベルトの上端部が、缶体胴壁上端部の前側に対応する位置で環状の上部ベルトに接続され、左右肩掛けベルトのそれぞれの下端部が、缶体胴壁下端部の左側および右側に対応する位置で環状の下部ベルトに接続されていることを特徴としている。
【０００７】
請求項２の発明は、請求項１に記載のショルダーキャリヤであって、左右肩掛けベルトの長手方向中間部のキャリヤ担い手の胸部および／または腹部に対応する箇所に、両ベルトの広がりを防止する連結ベルトが、連結・離脱自在に取り付けられていることを特徴としている。
【０００８】
請求項３の発明は、請求項１または２に記載のショルダーキャリヤであって、  下部ベルトの長手方向中間部のキャリヤ担い手の腹部に対応する箇所の前面部に腰当て用クッション材が取り付けられ、左右肩掛けベルトの長手方向中間部のキャリヤ担い手の左右肩部にそれぞれ対応する箇所の下面部に、肩当て用クッション材が取り付けられていることを特徴としている。
【０００９】
請求項４の発明は、請求項１〜３のうちのいずれか一項に記載のショルダーキャリヤであって、キャリヤ本体を構成する缶体の胴壁上面に、さらに缶蓋が開閉自在に取り付けられるとともに、缶蓋上面に着座用マットが被せられており、環状の上部ベルトに、これの一側から他側に至る缶蓋・マット脱落防止用ベルトが接続されていることを特徴としている。
【００１０】
請求項５のショルダーキャリヤの発明は、キャリヤ本体を構成しかつ胴壁上端部に把手を有する缶体と、缶体の胴壁下端部の外周に着脱自在に取り付けられた環状の下部ベルトと、把手と下部ベルトを連結する左右一対の肩掛けベルトとを備えており、左右肩掛けベルトの上端部が、把手の中央部に取付片を介して接続され、左右肩掛けベルトのそれぞれの下端部が、缶体胴壁下端部の左側および右側に対応する位置で環状の下部ベルトに接続されていることを特徴としている。
【００１１】
請求項６の発明は、請求項５に記載のショルダーキャリヤであって、左右肩掛けベルトの長手方向中間部のキャリヤ担い手の胸部および／または腹部に対応する箇所に、両ベルトの広がりを防止する連結ベルトが、連結・離脱自在に取り付けられていることを特徴としている。
【００１２】
請求項７の発明は、請求項５または６に記載のショルダーキャリヤであって、下部ベルトの長手方向中間部のキャリヤ担い手の腹部に対応する箇所の前面部に腰当て用クッション材が取り付けられ、左右肩掛けベルトの長手方向中間部のキャリヤ担い手の左右肩部にそれぞれ対応する箇所の下面部に、肩当て用クッション材が取り付けられていることを特徴としている。
【発明の効果】
【００１３】
請求項１のショルダーキャリヤの発明は、キャリヤ本体を構成する缶体と、缶体の胴壁上端部の外周に着脱自在に取り付けられた環状の上部ベルトと、缶体の胴壁下端部の外周に着脱自在に取り付けられた環状の下部ベルトと、上下両ベルトを連結する左右一対の肩掛けベルトとを備えており、左右肩掛けベルトの上端部が、缶体胴壁上端部の前側に対応する位置で環状の上部ベルトに接続され、左右肩掛けベルトのそれぞれの下端部が、缶体胴壁下端部の左側および右側に対応する位置で環状の下部ベルトに接続されているもので、請求項１に記載の発明によれば、防災用品および簡易トイレの洋式便座部分などを収納した多機能防災缶等を長い距離持ち運ぶ際に、これを肩に担ぐことができて、使用者の負担を軽減することができ、しかも不使用時には、担ぎ用ベルト部をキャリヤ本体を構成する缶体内に収納することができて、携帯に非常に便利であるうえに、材料費が少なく、製造コストが非常に安くついて、安価に供給することができるという効果を奏する。
【００１４】
請求項２の発明は、請求項１に記載のショルダーキャリヤであって、左右肩掛けベルトの長手方向中間部のキャリヤ担い手の胸部および／または腹部に対応する箇所に、両ベルトの広がりを防止する連結ベルトが、連結・離脱自在に取り付けられているもので、請求項２に記載の発明によれば、連結ベルトを締めることにより、左右肩掛けベルトの広がりを防止することができて、キャリヤ本体を構成する缶体が背中に押し付けられ、背面全体に重みがかかるために、多機能防災缶等を長い距離持ち運ぶ際に、肩への負担が少ないという効果を奏する。
【００１５】
請求項３の発明は、請求項１または２に記載のショルダーキャリヤであって、下部ベルトの長手方向中間部のキャリヤ担い手の腹部に対応する箇所の前面部に腰当て用クッション材が取り付けられ、左右肩掛けベルトの長手方向中間部のキャリヤ担い手の左右肩部にそれぞれ対応する箇所の下面部に、肩当て用クッション材が取り付けられているもので、請求項３に記載の発明によれば、多機能防災缶等を長い距離持ち運ぶ際に、キャリヤ担い手の胸部および／または腹部における負担を軽減することができるという効果を奏する。
【００１６】
請求項４の発明は、請求項１〜３のうちのいずれか一項に記載のショルダーキャリヤであって、キャリヤ本体を構成する缶体の胴壁上面に、さらに缶蓋が開閉自在に取り付けられるとともに、缶蓋上面に着座用マットが被せられており、環状の上部ベルトに、これの一側から他側に至る缶蓋・マット脱落防止用ベルトが接続されているもので、請求項４に記載の発明によれば、多機能防災缶等を長い距離持ち運ぶ際に、キャリヤ本体を構成する缶体の胴壁上面の缶蓋、およびこの缶蓋上面の着座用マットの脱落を防止することができるという効果を奏する。
【００１７】
請求項５のショルダーキャリヤの発明は、キャリヤ本体を構成しかつ胴壁上端部に把手を有する缶体と、缶体の胴壁下端部の外周に着脱自在に取り付けられた環状の下部ベルトと、把手と下部ベルトを連結する左右一対の肩掛けベルトとを備えており、左右肩掛けベルトの上端部が、把手の中央部に取付片を介して接続され、左右肩掛けベルトのそれぞれの下端部が、缶体胴壁下端部の左側および右側に対応する位置で環状の下部ベルトに接続されているもので、請求項５に記載の発明によれば、防災用品および簡易トイレの洋式便座部分などを収納した多機能防災缶等を長い距離持ち運ぶ際に、これを肩に担ぐことができて、使用者の負担を軽減することができ、しかも不使用時には、担ぎ用ベルト部をキャリヤ本体を構成する缶体内に収納することができて、携帯に非常に便利であるうえに、左右一対の肩掛けベルトが、把手と環状の下部ベルトを連結するように取り付けられていて、缶体の胴壁上端部の外周の環状の上部ベルトを省略することができるので、材料費が非常に少なくてすみ、製造コストがさらに安くついて、安価に供給することができるという効果を奏する。
【００１８】
請求項６の発明は、請求項５に記載のショルダーキャリヤであって、左右肩掛けベルトの長手方向中間部のキャリヤ担い手の胸部および／または腹部に対応する箇所に、両ベルトの広がりを防止する連結ベルトが、連結・離脱自在に取り付けられているもので、請求項６に記載の発明によれば、連結ベルトを締めることにより、左右肩掛けベルトの広がりを防止することができて、キャリヤ本体を構成する缶体が背中に押し付けられ、背面全体に重みがかかるために、多機能防災缶等を長い距離持ち運ぶ際に、肩への負担が少ないという効果を奏する。
【００１９】
請求項７の発明は、請求項５または６に記載のショルダーキャリヤであって、下部ベルトの長手方向中間部のキャリヤ担い手の腹部に対応する箇所の前面部に腰当て用クッション材が取り付けられ、左右肩掛けベルトの長手方向中間部のキャリヤ担い手の左右肩部にそれぞれ対応する箇所の下面部に、肩当て用クッション材が取り付けられているもので、請求項７に記載の発明によれば、多機能防災缶等を長い距離持ち運ぶ際に、キャリヤ担い手の胸部および／または腹部における負担を軽減することができるという効果を奏する。
【図面の簡単な説明】
【００２０】
【図１】本発明の第１実施形態を示す多機能防災缶等の運搬に適用されるショルダーキャリヤの概略正面図である。
【図２】図１のショルダーキャリヤの缶体部分を取り外した担ぎ用ベルト部の概略斜視図である。
【図３】本発明の第２実施形態を示す多機能防災缶等の運搬に適用されるショルダーキャリヤの使用状態の概略斜視図である。
【図４】各部ベルトの連結具の一例を示す部分拡大正面図である。
【図５】同連結具のいま１つの例を示す部分拡大正面図である。
【図６】本発明のショルダーキャリヤの下部ベルトに取り付けられる腰当て用クッション材、あるいは左右肩掛けベルトに取り付けられる肩当て用クッション材の、各部ベルトへ取付け状態の一例を示す部分拡大正面図である。
【図７】同下部ベルトに取り付けられる腰当て用クッション材、あるいは左右肩掛けベルトに取り付けられる肩当て用クッション材の、各部ベルトへ取付け状態のいま１つの例を示す部分拡大正面図である。
【図８】本発明の第３実施形態を示す多機能防災缶等の運搬に適用されるショルダーキャリヤの概略正面図である。
【図９】図８のショルダーキャリヤの使用状態を示す概略斜視図である。
【発明を実施するための形態】
【００２１】
つぎに、本発明の実施の形態を、図面を参照して説明するが、本発明は、これらに限定されるものではない。
【００２２】
図１と図２は、本発明による多機能防災缶等の運搬に適用されるショルダーキャリヤの第１実施形態を示すものである。
【００２３】
図１と図２を参照すると、本発明によるショルダーキャリヤ（１０）は、キャリヤ本体を構成する鋼製のペール缶よりなる缶体（１）と、缶体（１）の胴壁（１ａ）上端部の外周に着脱自在に取り付けられた環状の上部ベルト（２）と、缶体（１）の胴壁（１ａ）下端部の外周に着脱自在に取り付けられた環状の下部ベルト（３）と、上下両ベルト（２）（３）を連結する左右一対の肩掛けベルト（４）（５）とを備えており、左右肩掛けベルト（４）（５）の上端部が、缶体胴壁（１ａ）上端部の前側に対応する位置で環状の上部ベルト（２）に接続され、左右肩掛けベルト（４）（５）のそれぞれの下端部が、缶体胴壁（１ａ）下端部の左側および右側に対応する位置で環状の下部ベルト（３）に接続されていることを特徴としている。
【００２４】
なお、缶体（１）の胴壁（１ａ）上端部には、アーチ形の把手（６）が取り付けられ、把手（６）のアーチ形の中央部分には、樹脂製カラー（握り用筒体）（１７）が嵌め被せられている。また缶体（１）の胴壁（１ａ）上面に、さらに缶蓋（７）が開閉自在に取り付けられるとともに、缶蓋（７）上面に着座用マット（８）が被せられている。
【００２５】
ここで、環状の上部ベルト（２）と環状の下部ベルト（３）は、それぞれ１本の所定長さを有するベルトを環状に保持して、該ベルトの両端部を、後述する図５に示す長さ調整兼連結具（Ｂ）を介して結合・離脱自在に連結している。なお、連結具としては、その他、雄雌のマジックテープ（登録商標）（図示略）、雄雌のドットボタン（図示略）、および後述する図４に示す長さ調整兼連結具（Ａ）などを用いることができる。長さ調整兼連結具（Ａ）（Ｂ）については、後述する。
【００２６】
このように、環状の上部ベルト（２）と環状の下部ベルト（３）をそれぞれ構成する所定長さの両端部に取り付けられた長さ調整兼連結具（Ｂ）を、結合・離脱自在とすることにより、環状の上部ベルト（２）と環状の下部ベルト（３）は、缶体（１）の胴壁（１ａ）に着脱自在に取り付けられているものである。
【００２７】
一方、環状の上下両ベルト（２）（３）同士を連結する左右一対の肩掛けベルト（４）（５）は、これらの肩掛けベルト（４）（５）の上端部（４ａ）（５ａ）が、缶体胴壁（１ａ）上端部の前側に対応する位置で環状の上部ベルト（２）に縫着により固着されて接続され、左右肩掛けベルト（４）（５）のそれぞれの下端部（４ｂ）（５ｂ）が、缶体胴壁（１ａ）下端部の左側および右側に対応する位置で環状の下部ベルト（３）に縫着により固着されて接続されている。
【００２８】
左右肩掛けベルト（４）（５）のそれぞれの中間部には後述する図４に示す長さ調整兼連結具（Ａ）が介在させられている。なお、連結具としては、その他、所要長さを有する雄雌のマジックテープ（登録商標）（図示略）、所定間隔おきに取り付けられた雄雌複数組のドットボタン（図示略）、および後述する図５に示す連結具（Ｂ）などを用いることができる。
【００２９】
本発明によるショルダーキャリヤ（１０）は、キャリヤ本体を構成する缶体（１）の胴壁（１ａ）上面に、さらに缶蓋（７）と着座用マット（８）が被せられている場合には、環状の上部ベルト（２）に、これの一側から他側に至る缶蓋・マット脱落防止用ベルト（１５）（１６）が接続されていることが好ましい。
【００３０】
図示のものは、缶蓋・マット脱落防止用ベルト（１５）（１６）の両端部が、環状の上部ベルト（２）にそれぞれ縫着により固着されて接続されており、また各缶蓋・マット脱落防止用ベルト（１５）（１６）の長さの中間部には、後述する図４に示す長さ調整兼連結具（Ａ）が介在させられている。なお、長さ調整兼連結具としては、その他、所要長さを有する雄雌のマジックテープ（登録商標）（図示略）、所定間隔おきに取り付けられた雄雌複数組のドットボタン（図示略）、および図５に示す後述する連結具（Ｂ）などを用いることができる。
【００３１】
そして、缶蓋・マット脱落防止用ベルト（１５）（１６）は、図１と図２に示すように、環状の上部ベルト（２）に接続された左右肩掛けベルト（４）（５）の上端部を延長するように取り付けられている。これによって、上部ベルト（２）への接続部分において、左右肩掛けベルト（４）（５）の上端部の縫着により固着する箇所と、缶蓋・マット脱落防止用ベルト（１５）（１６）の各一端部の縫着により固着する箇所とが兼用され、縫着による固着箇所が少なくなるので、好ましい。
【００３２】
図３は、本発明の第２実施形態を示す多機能防災缶等の運搬に適用されるショルダーキャリヤの使用状態の概略斜視図である。同図に示すように、缶蓋・マット脱落防止用ベルト（１５）（１６）の端部は、環状の上部ベルト（２）に接続された左右肩掛けベルト（４）（５）の上端部とは別に、上部ベルト（２）に縫着によりそれぞれ固着されている。この場合、例えば左右肩掛けベルト（４）（５）の幅を広く、これに対し、缶蓋・マット脱落防止用ベルト（１５）（１６）の幅を狭くすることができて、缶蓋・マット脱落防止用ベルト（１５）（１６）として幅狭の安価なペール缶を使用することができるという利点がある。なお、缶蓋・マット脱落防止用ベルト（１５）（１６）の両端部を環状の上部ベルト（２）に固着するには、その他、所要長さを有する雄雌のマジックテープ（登録商標）（図示略）や、所定間隔おきに取り付けられた雄雌複数組のドットボタン（図示略）を用いることができる。
【００３３】
つぎに、図４に示す長さ調整兼連結具（Ａ）について説明する。例えば左肩掛けベルト（４）の中間部等に介在させられた長さ調整兼連結具（Ａ）は、平板状の両サイド片（２１）（２２）の中央と上下両端とに橋絡片（２３）〜（２５）が設けられている。そして、上端の橋絡片（２３）に左肩掛けベルト（４）の上部材（４a）の先端が接続されている。左肩掛けベルト（４）の下部材（４ｂ）は、橋絡片（２５）の下部より橋絡片（２４）の下部まで延長した後、折り返されてから橋絡片（２４）の上部側回り込んで橋絡片（２５）の下部を通るようにして、長さ調整具兼連結具（Ａ）に装着される。この長さ調整具兼連結具（Ａ）を握持して、左肩掛けベルト（４）の下部材（４ｂ）を引っ張ることにより、上部材（４ａ）と下部材（４ｂ）との間の長さを短くして、左肩掛けベルト（４）の長さ調整が行われる。
【００３４】
なお、説明は省略したが、他方の右肩掛けベルト（５）の中間部に介在させられた長さ調整兼連結具（Ａ）についても、同様に、長さ調整具兼連結具（Ａ）を握持して、右肩掛けベルト（５）の下部材（５ｂ）を引っ張ることにより、上部材（５ａ）と下部材（５ｂ）との間の長さを短くして、右肩掛けベルト（５）の長さ調整が行われる。
【００３５】
また、図５に示す長さ調整兼連結具（Ｂ）について説明する。例えば環状の上部ベルト（２）の両端部を連結する長さ調整兼連結具（Ｂ）は、雄部材（３１）と雌部材（３２）とによって構成され、雄部材（３１）の両側には揺動自在かつ段状の係止部を有する係止片（３３）（３４）が設けられており、該雄部材（３１）には、上部ベルト（２）の一端部（２ａ）が接続されている。これに対し、雌部材（３２）には、係止片（３３）（３４）を挿入しうる薄型状の収容空間（３５）が設けられ、その両側には凹状の切欠部（３６）（３７）が設けられていて、凹状切欠部（３６）（３７）の右端壁部に、雄部材（３１）両側の係止片（３３）（３４）の段状係止部がそれぞれ係り止められるようになされている。雌部材（３２）には、上部ベルト（２）の他端部（２ｂ）が接続されている。
【００３６】
いま、上部ベルト（２）の両端部（２ａ）（２ｂ）を連結具（Ｂ）を介して連結するには、上部ベルト一端部（２ａ）の雄部材（３１）の係止片（３３）（３４）を両側より押圧するようにして、これらを上部ベルト他端部（２ｂ）の雌部材（３２）の収容空間（３５）に挿入し、雄部材（３１）両側の係止片（３３）（３４）の段状係止部を、雌部材（３２）両側の凹状切欠部（３６）（３７）の右端壁部にそれぞれ係り止めるようにすることにより、雄部材（３１）と雌部材（３２）とが結合して、上部ベルト（２）の両端部（２ａ）（２ｂ）を連結することができる。逆に、上部ベルト（２）の両端部（２ａ）（２ｂ）を離脱させるには、上部ベルト一端部（２ａ）の雄部材（３１）の係止片（３３）（３４）を両側より押圧して、上部ベルト他端部（２ｂ）の雌部材（３２）の凹状切欠部（３６）（３７）の右端壁部より離脱させて後、雄部材（３１）の係止片（３３）（３４）を雌部材（３２）の収容空間（３５）より引き抜けばよい。
【００３７】
本発明によるショルダーキャリヤ（１０）において、キャリヤ本体を構成する鋼製のペール缶よりなる缶体（１）には、例えば地震等の災害発生に備えて、ヘルメット、懐中電灯、飲料水、地図（避難所・自宅まで）、常備薬、携帯ラジオ、運動靴、その他の生活必需品等の防災用品を入れておく。また、同缶体（１）には、簡易トイレ用品として、取り外した樹脂製洋式便座、折り畳んだ複数枚の便収納用ポリ袋、所要数個のトイレットペーパー、および利用者の身体全体と簡易トイレ部分を一体に覆う目隠し用のカッパ等を入れておき、これらの防災用品を収納した多機能防災缶を構成する。ペール缶よりなる缶体（１）の開口上端部には缶蓋（７）を被せ止めて密閉するとともに、缶蓋（７）上面に着座用マット（８）を被せておく。
【００３８】
本発明によるショルダーキャリヤ（１０）は、キャリヤ本体を構成するペール缶よりなる缶体（１）が、このような多機能防災缶を構成するものであり、この缶体（１）の胴壁（１ａ）上端部の外周に着脱自在に取り付けられた環状の上部ベルト（２）と、缶体（１）の胴壁（１ａ）下端部の外周に着脱自在に取り付けられた環状の下部ベルト（３）と、上下両ベルト（２）（３）を連結する左右一対の肩掛けベルト（４）（５）とを備えており、左右肩掛けベルト（４）（５）の上端部が、缶体胴壁（１ａ）上端部の前側に対応する位置で環状の上部ベルト（２）に接続され、左右肩掛けベルト（４）（５）のそれぞれの下端部が、缶体胴壁（１ａ）下端部の左側および右側に対応する位置で環状の下部ベルト（３）に接続されていることを特徴としている。
【００３９】
そして、上記のような多機能防災缶を構成する缶体（１）を具備する本発明によるショルダーキャリヤ（１０）の不使用時には、缶体（１）より取り外した担ぎ用ベルト部を、該缶体（１）内に一緒に収納しておく。
【００４０】
こうして、多機能防災缶を構成する缶体（１）を具備する本発明によるショルダーキャリヤ（１０）は、その不使用時には、例えば家庭では、玄関・勝手口などに設置して装備しておく。上記の実施形態では、缶体（１）の上面に缶蓋（７）が取り付けられるとともに、缶蓋（７）上面に着座用マット（８）が被せられていて、多機能防災缶を構成する缶体（１）を椅子の代用とすることができ、このため、例えば待合所の入口に代用椅子として数個設置して装備したり、あるいはまた会社の応接室に、補助椅子として設置して装備したりすることができる。そしてこのように、指定の場所に保管しておけば、災害発生時の停電のときに、懐中電灯などをすぐに取り出すことができるものである。
【００４１】
多機能防災缶を構成する缶体（１）にはアーチ形の把手（６）が設けられており、通常は、この把手（６）中央部の樹脂製カラー（握り用筒体）（１７）を持つことによって、多機能防災缶を構成する缶体（１）を具備する本発明によるショルダーキャリヤ（１０）を、短い距離携行することができる。
【００４２】
そしていま、多機能防災缶を構成する缶体（１）を長い距離持ち運ぶ際に、ショルダーキャリヤ（１０）の担ぎ用ベルト部を缶体（１）より取り出して、上記図１と図２に示すようにセットし、多機能防災缶を構成する缶体（１）を肩に担ぐことができて、使用者の負担を大幅に軽減することができるものである。
【００４３】
なお、上記の実施形態では、ショルダーキャリヤ（１０）の環状の上部ベルト（２）に、これの一側から他側に至る缶蓋・マット脱落防止用ベルト（１５）（１６）が接続されているので、多機能防災缶を構成する缶体（１）を長い距離持ち運ぶ際に、缶蓋（７）および着座用マット（８）の脱落を防止することができる。
【００４４】
そして、地震等の災害発生時のような非常時には、多機能防災缶を構成する缶体（１）内に収納した簡易トイレ用品を取り出し、災害時用の特設トイレとして、簡易トイレを利用することができ、被災者は簡易トイレを利用して、用を足すことができ、緊急時においても生活を維持することができる。
【００４５】
また、多機能防災缶を構成する缶体（１）の搬送に疲れたときは、これを椅子の代用として使用することができ、あるいはまたキャリヤ本体を構成する缶体（１）自体を、緊急時における飲料水等の水入れとしても使用することができる。
【００４６】
つぎに、本発明のショルダーキャリヤ（１０）においては、左右肩掛けベルト（４）（５）の長手方向中間部のキャリヤ担い手の胸部および／または腹部に対応する箇所に、両ベルト（４）（５）の広がりを防止する連結ベルト（９）が、連結・離脱自在に取り付けられていることが好ましい。
【００４７】
図１〜図３に示すショルダーキャリヤ（１０）の実施形態においては、左右肩掛けベルト（４）（５）の長手方向中間部のキャリヤ担い手の胸部に対応する箇所に、両ベルト（４）（５）の広がりを防止する連結ベルト（９）が、連結・離脱自在に取り付けられている場合が示されている。ここで、連結ベルト（９）の左端部は、左肩掛けベルト（４）の長手方向中間部に縫着により固着されるとともに、同右端部は、右肩掛けベルト（５）の長手方向中間部に縫着により固着されている。なお、キャリヤ担い手の腹部に対応する箇所に連結ベルト（９）が取り付けられる場合については、図示を省略した。
【００４８】
そして、連結ベルト（９）の長さの中央部には、上記した図４に示す長さ調整兼連結具（Ａ）が介在させられている。なお、長さ調整兼連結具としては、その他、所要長さを有する雄雌のマジックテープ（登録商標）（図示略）、所定間隔おきに取り付けられた雄雌複数組のドットボタン（図示略）、および上記した図５に示す連結具（Ｂ）などを用いることができる。
【００４９】
本発明のショルダーキャリヤ（１０）においては、左右肩掛けベルト（４）（５）の長手方向中間部のキャリヤ担い手の胸部および／または腹部に対応する箇所に、両ベルト（４）（５）の広がりを防止する連結ベルト（９）が、連結・離脱自在に取り付けられているので、連結ベルト（９）を締めることにより、左右肩掛けベルト（４）（５）の広がりを防止することができて、キャリヤ本体を構成する缶体（１）が背中に押し付けられ、背面全体に重みがかかるために、肩への負担が少ないものである。
【００５０】
また、本発明のショルダーキャリヤ（１０）においては、図２に示すように、下部ベルト（３）の長手方向中間部のキャリヤ担い手の腹部に対応する箇所の前面部に腰当て用クッション材（１１）が取り付けられ、左右肩掛けベルト（４）（５）の長手方向中間部のキャリヤ担い手の左右肩部にそれぞれ対応する箇所の下面部に、肩当て用クッション材（１２）が取り付けられていることが好ましい。
【００５１】
ここで、クッション材（１１）（１２）としては弾力性を有するもの、弾性体であればよく、例えば合成樹脂や合成ゴムの発泡体（スポンジ）、弾力性を有する布、あるいは綿入り布などが挙げられる。これらの弾性体はバッグ（袋）で包んだものが好ましい。あるいはまたクッション材（１１）（１２）としては、空気を注入・排出する栓付きのエアバッグ（風船）などであってもよい。
【００５２】
これらのクッション材（１１）（１２）の取付け方法は、図６と図７に示されている。例えばこれを、環状の下部ベルト（３）に取り付けられた腰当て用クッション材（１１）について説明すると、まず、図６においては、弾性体を包んだバッグ（袋）（１３）よりなる腰当て用クッション材（１１）が示されており、該クッション材（１１）の両端部においてバッグ（袋）（１３）に孔が開けられていて、下部ベルト（３）の長手方向中間部のキャリヤ担い手の腹部に対応する箇所が、これらの孔よりバッグ（袋）（１３）の内側に挿通されている。つぎに、図７においては、同様に、弾性体を包んだバッグ（袋）よりなる腰当て用クッション材（１１）が示されており、該クッション材（１１）の両端部においてバッグ（袋）に、ベルト挿通用フープ部（１４）（１４）が取り付けられていて、環状の下部ベルト（３）の長手方向中間部のキャリヤ担い手の腹部に対応する箇所が、これらのフープ部（１４）（１４）に挿通されている。
【００５３】
これらのクッション材（１１）（１２）の取付け方法は、図示のものに限定されず、その他のものであってもよい。さらに、下部ベルト（３）に取り付けられる腰当て用クッション材（１１）と、左右肩掛けベルト（４）（５）に取り付けられる肩当て用クッション材（１２）とが、連続した１つの弾性体によって構成されていてもよく、例えばいわゆるチョッキ形のクッション材であってもよい。
【００５４】
このように、本発明のショルダーキャリヤ（１０）において、下部ベルト（３）の長手方向中間部のキャリヤ担い手の腹部に対応する箇所の前面部に腰当て用クッション材（１１）が取り付けられ、左右肩掛けベルト（４）（５）の長手方向中間部のキャリヤ担い手の左右肩部にそれぞれ対応する箇所の下面部に、肩当て用クッション材（１２）が取り付けられることにより、キャリヤ担い手の胸部および／または腹部における負担を軽減することができる。
【００５５】
つぎに、図８と図９は、本発明による多機能防災缶等の運搬に適用されるショルダーキャリヤ（１０）の第３実施形態を示すものである。同図を参照すると、本発明によるショルダーキャリヤ（１０）は、キャリヤ本体を構成しかつ胴壁（１ａ）上端部に把手（６）を有する缶体（１）と、缶体（１）の胴壁（１ａ）下端部の外周に着脱自在に取り付けられた環状の下部ベルト（３）と、把手（６）と下部ベルト（３）を連結する左右一対の肩掛けベルト（４）（５）とを備えており、左右肩掛けベルト（４）（５）の上端部が取付片（１８）を介して把手（６）の中央部に取付片（１８）を介して接続され、左右肩掛けベルト（４）（５）のそれぞれの下端部が、缶体胴壁（１ａ）下端部の左側および右側に対応する位置で環状の下部ベルト（３）に接続されている。ここで、取付片（１８）は、例えば長方形状のマジックテープ（登録商標）により構成されていて、把手（６）のアーチ形中央部の樹脂製カラー（握り用筒体）（１７）に巻き止められている。その他、取付片（１８）は、例えば長方形状の厚布片に、雄雌のドットボタン（図示略）が取り付けられているものであってもよく、要するに、把手（６）のアーチ形中央部の樹脂製カラー（握り用筒体）（１７）に対し、取付片（１８）が着脱自在なものであればよい。
【００５６】
この本発明による第３実施形態のショルダーキャリヤ（１０）において、多機能防災缶を構成する缶体（１）を具備するショルダーキャリヤ（１０）の不使用時には、缶体（１）より取り外した担ぎ用ベルト部を、該缶体（１）内に一緒に収納しておく。多機能防災缶を構成する缶体（１）にはアーチ形の把手（６）が設けられており、通常は、この把手（６）中央部の樹脂製カラー（握り用筒体）（１７）を持つことによって、多機能防災缶を構成する缶体（１）を具備するショルダーキャリヤ（１０）を、短い距離携行できることは、上記本発明の体実施形態および第２実施形態の場合と同じである。
【００５７】
そしていま、この第３実施形態のショルダーキャリヤ（１０）の多機能防災缶を構成する缶体（１）を長い距離持ち運ぶ際には、ショルダーキャリヤ（１０）の担ぎ用ベルト部を缶体（１）より取り出して、上記図８と図９に示すようにセットし、多機能防災缶を構成する缶体（１）を肩に担ぐことができて、使用者の負担を大幅に軽減することができるものである。
【００５８】
そのうえ、第３実施形態のショルダーキャリヤ（１０）によれば、左右一対の肩掛けベルト（４）（５）が、把手（６）と環状の下部ベルト（３）を連結するように取り付けられていて、缶体（１）の胴壁（１ａ）上端部の外周の環状の上部ベルト（２）を省略することができるので、材料費が非常に少なくてすみ、製造コストがさらに安くついて、安価に供給することができるものである。
【００５９】
本発明による多機能防災缶等の運搬に適用されるショルダーキャリヤ（１０）の第３実施形態のその他の点は、上記第１実施形態の場合と同様であるので、図面において同一のものには、同一の符号を付した。
【００６０】
上記のように、多機能防災缶を構成する缶体（１）を具備する本発明によるショルダーキャリヤ（１０）は、その不使用時には、缶体（１）より取り外した担ぎ用ベルト部を、該缶体（１）内に一緒に収納しておくことができ、非常に便利である。
【００６１】
そして通常は、缶体（１）の把手（６）を持つことによって、多機能防災缶を構成する缶体（１）を具備する本発明によるショルダーキャリヤ（１０）を、短い距離携行することができるが、缶体（１）を長い距離持ち運ぶ際には、担ぎ用ベルト部を缶体（１）より取り出してセットし、多機能防災缶を構成する缶体（１）を肩に担いで、長い距離を持ち運ぶことができ、使用者の負担を大幅に軽減することができる。
【００６２】
また、本発明による多機能防災缶等の運搬に適用されるショルダーキャリヤ（１０）は、キャリヤ本体を構成する鋼製のペール缶よりなる缶体（１）と、缶体（１）の胴壁（１ａ）上端部の外周に着脱自在に取り付けられた環状の上部ベルト（２）と、缶体（１）の胴壁（１ａ）下端部の外周に着脱自在に取り付けられた環状の下部ベルト（３）と、上下両ベルト（２）（３）を連結する左右一対の肩掛けベルト（４）（５）とよりなるものであるから、材料費が少なく、製造コストが非常に安くついて、安価に供給することができるものである。
【００６３】
なお、上記の本発明の実施形態では、キャリヤ本体を構成する缶体（１）が、鋼製ペール缶によって構成されている場合について説明したが、本発明のショルダーキャリヤ（１０）のキャリヤ本体を構成する缶体（１）としては、その他、鋼製のテーパー・ペール缶、樹脂製のペール缶、およびステンレス鋼製または樹脂製のオープン缶などであっても良い。
【００６４】
その他、本発明によるショルダーキャリヤ（１０）は、例えば農業や林業などにおいて、水や農薬、燃料などを運ぶ際にも適用されるものであり、本発明のショルダーキャリヤ（１０）によれば、これらの農薬や燃料などを入れた缶体（１）を長い距離持ち運ぶ際に、これを肩に担ぐことができて、使用者の負担を軽減することができるものである。
【００６５】
なお、水や農薬等の化学薬品、燃料などを運ぶ際には、ショルダーキャリヤ（１０）のキャリヤ本体を構成する缶体（１）は、天板固着式鋼製ペール缶、小形缶、および金属板製１８リットル缶などによって構成されていてもよいものである。
【符号の説明】
【００６６】
１：缶体
１ａ：胴壁
２：環状の上部ベルト
３：環状の下部ベルト
４：左肩掛けベルト
５：右肩掛けベルト
６：把手
７：缶蓋
８：着座用マット
９：連結ベルト
９ａ：左部材
９ｂ：右部材
１０：ショルダーキャリヤ
１１：腰当て用クッション材
１２：肩当て用クッション材
１３：弾性体収納バッグ（袋）
１４：ベルト挿通用フープ部
１５：缶蓋・マット脱落防止用ベルト
１６：缶蓋・マット脱落防止用ベルト
１７：樹脂製カラー（握り用筒体）
１８：取付片
Ａ：長さ調整兼連結具
Ｂ：連結具
【図１】
2013216348.tif 000003
【図２】
2013216348.tif 000004
【図３】
2013216348.tif 000005
【図４】
2013216348.tif 000006
【図５】
2013216348.tif 000007
【図６】
2013216348.tif 000008
【図７】
2013216348.tif 000009
【図８】
2013216348.tif 000010
【図９】
2013216348.tif 000011